(57)【特許請求の範囲】
【請求項１】
第一レールと、前記第一レールに対して可動である第二レールとを備えるスライドレールキットに適用するスライドアシスト装置であって、前記スライドアシスト装置は前記第一レールと前記第二レールとの間に配されており、前記スライドアシスト装置は、
第一端部と、前記第一端部から湾曲する第一可撓性部とを含み、前記第一可撓性部と前記第一端部との間で第一緩衝空間を画成するとともに、前記第一可撓性部及び前記第一端部のうちの一つが第一突出部分を有し、かつ、前記第一端部と反対側に位置する第二端部と、前記第二端部から湾曲する第二可撓性部とを含み、前記第二可撓性部と前記第二端部との間で第二緩衝空間を画成するとともに、前記第二可撓性部及び前記第二端部のうちの一つが第二突出部分を有する基台と、
前記基台に取付けられることで、前記第二レールが前記第一レールに対して動作するのを補助し、前記第一端部と前記第二端部との間にのみ位置する複数個のスライドアシスト手段と、を備えており、
前記第二レールが前記第一レールに対して所定位置にまで動作したとき、前記基台は前記第一レールと前記第二レールとの間に突当てられるとともに、前記第一緩衝空間により、前記第一可撓性部及び前記第一端部は前記第一突出部分により互いに当接可能であり、さらに、前記第二緩衝空間により、前記第二可撓性部及び前記第二端部が前記第二突出部分により互いに当接可能であることを特徴とするスライドアシスト装置。
【請求項２】
前記基台は、前記第一可撓性部から湾曲する第三可撓性部を更に含み、前記第三可撓性部と前記第一可撓性部との間で第三緩衝空間を画成するとともに、前記第三可撓性部及び前記第一可撓性部のうちの一つが第三突出部分を有しており、このうち、前記第三緩衝空間により、前記第三可撓性部及び前記第一可撓性部が前記第三突出部分により互いに当接可能であることを特徴とする請求項１に記載のスライドアシスト装置。
【請求項３】
前記基台は、前記第二可撓性部から湾曲する第四可撓性部を更に含み、前記第四可撓性部と前記第二可撓性部との間で第四緩衝空間を画成するとともに、前記第四可撓性部及び前記第二可撓性部のうちの一つが第四突出部分を有しており、このうち、前記第四緩衝空間により、前記第四可撓性部及び前記第二可撓性部が前記第四突出部分により互いに当接可能であることを特徴とする請求項１に記載のスライドアシスト装置。
【請求項４】
第一端部と、前記第一端部から湾曲する第一可撓性部とを含み、前記第一可撓性部と前記第一端部との間で第一緩衝空間を画成するとともに、前記第一可撓性部及び前記第一端部のうちの一つが第一突出部分を有し、前記第一端部の反対側に位置する第二端部と、前記第二端部から湾曲する第二可撓性部とを更に含み、前記第二可撓性部と前記第二端部との間で第二緩衝空間を画成するとともに、前記第二可撓性部及び前記第二端部のうちの一つが第二突出部分を有する基台と、
前記基台に取付けられ、前記第一端部と前記第二端部との間にのみ位置する少なくも一つのスライドアシスト手段と、を備えるスライドアシスト装置であって、
このうち、前記基台の第一可撓性部が力を受けたとき、前記第一緩衝空間により、前記第一可撓性部及び前記第一端部は前記第一突出部分により互いに当接可能であり、さらに、前記第二緩衝空間により、前記第二可撓性部及び前記第二端部が前記第二突出部分により互いに当接可能であることを特徴とするスライドアシスト装置。
【請求項５】
前記第一端部は前記第一突出部分を有しており、前記第一可撓性部は側面を有しており、前記第一緩衝空間により、前記第一可撓性部の側面が前記第一端部の第一突出部分に当接可能であることを特徴とする請求項４に記載のスライドアシスト装置。
【請求項６】
前記第二端部は前記第二突出部分を有しており、前記第二可撓性部は側面を有しており、前記第二緩衝空間により、前記第二可撓性部の側面が前記第二端部の第二突出部分に当接可能であることを特徴とする請求項４に記載のスライドアシスト装置。
【請求項７】
第一レールと、
前記第一レールに対して可動である第二レールと、
前記第一レールと前記第二レールとの間に配されているスライドアシスト装置と、を備えるスライドレールキットであって、
前記スライドアシスト装置は、
第一端部と、前記第一端部の反対側に位置する第二端部と、前記第一端部から湾曲する第一可撓性部と、前記第二端部から湾曲する第二可撓性部とを含み、前記第一可撓性部と前記第一端部との間が第一緩衝空間を有し、かつ前記第一可撓性部及び前記第一端部のうちの一つが第一突出部分を有しており、前記第二可撓性部と前記第二端部との間が第二緩衝空間を有し、かつ前記第二可撓性部及び前記第二端部のうちの一つが第二突出部分を有する基台と、
前記基台の前記第一端部と前記第二端部との間のみに取付けられるとともに前記第一レールと前記第二レールとの間に接触する複数個のスライドアシスト手段と、を有し、
前記第二レールが前記第一レールに対して所定位置にまで動作したとき、前記基台は前記第一レールと前記第二レールとの間に突当てられ、このうち、前記第一緩衝空間により、前記第一可撓性部及び前記第一端部は前記第一突出部分により互いに当接可能となり、及び、前記第二緩衝空間により、前記第二可撓性部及び前記第二端部は前記第二突出部分により互いに当接可能であることを特徴とするスライドレールキット。
【請求項８】
前記第一レールは前端と、後端と、前記第一レールの前端に位置する第一規制部とを有し、前記第二レールは前端と、後端と、前記第二レールの後端に位置する第二規制部とを有し、前記第二レールが前記第一レールに対して前記所定位置にまで動作したとき、前記基台は前記第二レールの第二規制部と前記第一レールの第一規制部との間に突当てられることを特徴とする請求項７に記載のスライドレールキット。
【発明の詳細な説明】
【技術分野】
【０００１】
本発明はスライドアシスト装置に関し、特にスライドレールキット用のスライドアシスト装置に関する。
【背景技術】
【０００２】
一般的には、スライドレールキットは二つのセグメント又は三つのセグメント以上のスライドレールを含む。これらスライドレールは互いに相対的に可動となっている。このうち、これらスライドレールの間には、場合によっては必要に応じてスライドアシスト装置が可動的に取付けられており、このスライドアシスト装置は通常、一方のスライドレールが他方のスライドレールに対して動作するときのスムーズ性を補助するためにベアリング鋼球（ｂｅａｒｉｎｇｓ ｂａｌｌ）を含む。特許文献１には、可撓性を有するベアリングスペーサを開示しており、このベアリングスペーサは、二つのレールの相対的な移動を補助するためのベアリング鋼球を収容するための孔を複数個有する。このうち、ベアリングスペーサは一つ以上のノッチ（ｎｏｔｃｈｅｓ）を有して、ベアリングスペーサに圧縮可能となる機能を持たせている。
【先行技術文献】
【特許文献】
【０００３】
【特許文献１】米国特許第７, ２１３, ８９６ Ｂ２号明細書
【特許文献２】米国特許出願公開第２００８／０３０３３９５号明細書
【発明の概要】
【発明が解決しようとする課題】
【０００４】
しかしながら、可撓性を有するベアリングスペーサは過度な湾曲により損傷する恐れがある。
【０００５】
本発明の目的は、スライドアシスト装置の損傷を回避するスライドレールキット用のスライドアシスト装置を提供することにある。
【課題を解決するための手段】
【０００６】
本発明の観点によれば、第一レールと、第一レールに対して可動である第二レールとを備えるスライドレールキットに適用するスライドアシスト装置であって、スライドアシスト装置は第一レールと第二レールとの間に配されており、スライドアシスト装置は基台と、複数個のスライドアシスト手段とを備える。基台は第一端部と、第一端部から湾曲する第一可撓性部とを含み、第一可撓性部と第一端部との間で第一緩衝空間を画成するとともに、第一可撓性部及び第一端部のうちの一つが第一突出部分を有し、複数個のスライドアシスト手段は基台に取付けられることで第二レールの第二レールに対する動作を補助しており、このうち、第二レールが第一レールに対して所定位置にまで動作したとき、基台は第一レールと第二レールとの間に突当てられるとともに、第一緩衝空間により、第一可撓性部及び第一端部は第一突出部分により互いに当接可能である。
【０００７】
上記観点によれば、基台は、第一端部と反対側に位置する第二端部と、第二端部から湾曲する第二可撓性部とを含み、第二可撓性部と第二端部との間で第二緩衝空間を画成するとともに、第二可撓性部及び第二端部のうちの一つが第二突出部分を有しており、このうち、第二レールが第一レールに対して所定位置にまで動作したとき、第二緩衝空間により、第二可撓性部及び第二端部が第二突出部分により互いに当接可能である。
【０００８】
好ましくは、基台は第一可撓性部から湾曲する第三可撓性部を更に含み、第三可撓性部と第一可撓性部との間で第三緩衝空間を画成するとともに、第三可撓性部及び第一可撓性部のうちの一つが第三突出部分を有しており、このうち、第三緩衝空間により、第三可撓性部及び第一可撓性部が第三突出部分により互いに当接可能である。
【０００９】
好ましくは、基台は第二可撓性部から湾曲する第四可撓性部を更に含み、第四可撓性部と第二可撓性部との間で第四緩衝空間を画成するとともに、第四可撓性部及び第二可撓性部のうちの一つが第四突出部分を有しており、このうち、第四緩衝空間により、第四可撓性部及び第二可撓性部が第四突出部分により互いに当接可能である。
【００１０】
上記観点によれば、第一レールは前端と、後端と、第一レールの前端に位置する第一規制部とを有し、第二レールは前端と、後端と、第二レールの後端に位置する第二規制部とを有し、第二レールが第一レールに対して所定位置にまで動作したとき、基台は第二レールの第二規制部と第一レールの第一規制部との間に突当てられる。
【００１１】
本発明の他の観点によれば、スライドアシスト装置は基台と、少なくとも一つのスライドアシスト手段とを備える。基台は第一端部と、第一端部から湾曲する第一可撓性部とを含み、第一可撓性部と第一端部との間で第一緩衝空間を画成するとともに、第一可撓性部及び第一端部のうちの一つが第一突出部分を有し、少なくとも一つのスライドアシスト手段は基台に取付けられる。このうち、基台の第一可撓性部が力を受けたとき、第一緩衝空間により、第一可撓性部及び第一端部は第一突出部分により互いに当接可能である。
【００１２】
上記の他の観点によれば、第一端部は第一突出部分を有しており、第一可撓性部は側面を有しており、第一緩衝空間により、第一可撓性部の側面が第一端部の第一突出部分に当接可能である。
【００１３】
上記の他の観点によれば、基台は、第一端部と反対側に位置する第二端部と、第二端部から湾曲する第二可撓性部とを含み、第二可撓性部と第二端部との間で第二緩衝空間を画成するとともに、第二可撓性部及び第二端部のうちの一つが第二突出部分を有しており、このうち、第二緩衝空間により、第二可撓性部及び第二端部が第二突出部分により互いに当接可能である。
【００１４】
好ましくは、第二端部は第二突出部分を有しており、第二可撓性部は側面を有しており、第二緩衝空間により、第二可撓性部の側面が第二端部の第二突出部分に当接可能である。
【００１５】
本発明の更に他の観点によれば、スライドレールキットは第一レールと、第二レールと、スライドアシスト装置とを備える。第二レールは第一レールに対して可動であって、スライドアシスト装置は第一レールと第二レールとの間に配されており、スライドアシスト装置は基台と、複数個のスライドアシスト手段とを備える。基台は第一端部と、第一端部と反対側に位置する第二端部と、第一端部から湾曲する第一可撓性部と、第二端部から湾曲する第二可撓性部とを含み、第一可撓性部と第一端部との間で第一緩衝空間を画成するとともに、第一可撓性部及び第一端部のうちの一つが第一突出部分を有しており、第二可撓性部と第二端部との間で第二緩衝空間を画成するとともに、第二可撓性部及び第二端部のうちの一つが第二突出部分を有しており、複数個のスライドアシスト手段は、基台に取付けられるとともに第一レールと第二レールとの間に接触しており、このうち、第二レールが第一レールに対して所定位置にまで動作したとき、基台は第一レールと第二レールとの間に突当てられるものであり、このうち、第一緩衝空間により、第一可撓性部及び第一端部は第一突出部分により互いに当接可能となり、第二緩衝空間により、第二可撓性部及び第二端部は第二突出部分により互いに当接可能である。
【図面の簡単な説明】
【００１６】
【図１】本発明の一実施例におけるスライドレールキットが収納状態にある斜視図である。
【図２】本発明の一実施例におけるスライドレールキットの分解斜視図である。
【図３】本発明の一実施例におけるスライドアシスト装置の概略図である。
【図４】本発明の一実施例におけるスライドレールキットが延出状態にある正面図である。
【図５】本発明の一実施例におけるスライドアシスト装置の基台が緩衝機能を有する概略図である。
【発明を実施するための形態】
【００１７】
図１及び図２に示すように、本発明の一実施例におけるスライドレールキット１０は、第一レール１２と、第二レール１４と、少なくとも一つのスライドアシスト装置、例えば二個のスライドアシスト装置１６とを備える。第一レール１２は上壁１８ａと、下壁１８ｂと、上壁１８ａと下壁１８ｂとの間を繋ぐ縦方向壁２０とを含む。上壁１８ａ、下壁１８ｂ及び縦方向壁２０とで第一通路２２を画成する。第一レール１２は前端２４ａと、後端２４ｂと、少なくとも第一規制部とを有しており、例えば二つの第一規制部２６がそれぞれ第一レール１２の上壁１８ａ及び下壁１８ｂに配置されるとともに第一レール１２の前端２４ａに位置している。
【００１８】
第二レール１４は第一レール１２の第一通路２２内に収容可能である。具体的には、第二レール１４は上壁２８ａと、下壁２８ｂと、上壁２８ａと下壁２８ｂとの間を繋ぐ縦方向壁３０とを含む。上壁２８ａ、下壁２８ｂ及び縦方向壁３０とで第一通路３２を画成する。第二レール１４は前端３４ａと、後端３４ｂと、少なくとも第二規制部とを有しており、例えば二つの第二規制部３６がそれぞれ第二レール１４の上壁２８ａ及び下壁２８ｂに配置されるとともに第二レール１４の後端３４ｂに位置している。
【００１９】
二個のスライドアシスト装置１６は第一レール１２と第二レール１４との間に可動的に配されている。具体的には、各々のスライドアシスト装置１６の位置は第一レール１２の第一規制部２６と第二レール１４の第二規制部３６との間に対応している。二個のスライドアシスト装置１６は第二レール１４が第一レール１２に対して動作するときのスムーズ性を補助するのに用いることができる。好ましくは、第二レール１４の第一通路３２内に収容可能である第三レール３８を更に備える。
【００２０】
図３に示すように、スライドアシスト装置１６は基台４０と、複数個のスライドアシスト手段４２とを備える。このうち、基台４０は第一端部４４ａと、第一端部４４ａと反対側に位置する第二端部４４ｂとを含む。具体的には、基台４０は、第一端部４４ａから湾曲する第一可撓性部４６を更に含み、第一可撓性部４６と第一端部４４ａとの間で第一緩衝空間Ｓ１を画成するとともに、第一可撓性部４６及び第一端部４４ａのうちの一つが第一突出部分４８を有する。この実施例において、第一端部４４ａが第一突出部分４８を有するものを例としている。このうち、第一突出部分４８は第一端部４４ａから縦方向に一定距離分突出するとともに第一可撓性部４６に向いているが、これに限定されず、図示していない他の実施例においては、第一可撓性部は、第一可撓性部から縦方向に一定距離分突出するとともに第一端部に向いている第一突出部分を有する。好ましくは、第二端部４４ｂから湾曲する第二可撓性部５０を更に含み、第二可撓性部５０と第二端部４４ｂとの間で第二緩衝空間Ｓ２を画成するとともに、第二可撓性部５０及び第二端部４４ｂのうちの一つが第二突出部分５２を有する。この実施例において、第二端部４４ｂが第二突出部分５２を有するものを例としている。このうち、第二突出部分５２は第二端部４４ｂから縦方向に一定距離分突出するとともに第二可撓性部５０に向いているが、これに限定されず、図示していない他の実施例においては、第二可撓性部は、第二可撓性部から縦方向に一定距離分突出するとともに第二端部に向いている第二突出部分を有する。
【００２１】
及び、第三可撓性部５４と、第四可撓性部５６とを更に含む。第三可撓性部５４は第一可撓性部４６から湾曲しており、第三可撓性部５４と第一可撓性部４６との間で第三緩衝空間Ｓ３を画成するとともに、第三可撓性部５４及び第一可撓性部４６のうちの一つが第三突出部分５８を有しており、ここでは、第三可撓性部５４が第三突出部分５８を有するものを例としている。このうち、第三突出部分５８は第三可撓性部５４から縦方向に一定距離分突出するとともに第一可撓性部４６に向いているが、これに限定されず、図示していない他の実施例においては、第一可撓性部は、第一可撓性部から縦方向に一定距離分突出するとともに第三端部に向いている第三突出部分を有する。第四可撓性部５６は第二可撓性部５０から湾曲しており、第四可撓性部５６と第二可撓性部５０との間で第四緩衝空間Ｓ４を画成するとともに、第四可撓性部５６及び第二可撓性部５０のうちの一つが第四突出部分６０を有しており、ここでは、第四可撓性部５６が第四突出部分６０を有するものを例としている。このうち、第四突出部分６０は第四可撓性部５６から縦方向に一定距離分突出するとともに第二可撓性部５０に向いているが、これに限定されず、図示していない他の実施例においては、第二可撓性部は、第二可撓性部から縦方向に一定距離分突出するとともに第四端部に向いている第四突出部分を有する。
【００２２】
複数個のスライドアシスト手段４２は基台４０に取付けられる。具体的には、複数個のスライドアシスト手段４２は直線で且つ互いに間隔を空けるように基台４０に取り付け可能であって、かつ複数個のスライドアシスト手段４２は基台４０の第一端部４４ａと第二端部４４ｂとの間に位置している。このうち、複数個のスライドアシスト手段４２は鋼球（ｂａｌｌｓ）又はコロ等の素子することができる。
【００２３】
図４に示すように、複数個のスライドアシスト手段４２は第一レール１２と第二レール１４との間に接触しており、例えば第一レール１２の上壁１８ａと第二レール１４の上壁２８ａとの間に接触している。複数個のスライドアシスト手段４２は第二レール１４が第一レール１２に対して動作するのを補助するのに用いられる。第二レール１４及び第三レール３８が第一レール１２に対して収納状態（図１）から第一方向Ｄに向けて延出状態に動作したとき、基台４０は第一レール１２と第二レール１４との間に当接可能である。詳細に言えば、第二レール１４が第一レール１２に対して所定位置Ｐにまで動作したとき、スライドアシスト装置１６の基台４０は第二レール１４の第二規制部３６と第一レール１２の第一規制部２６との間に突当てられる。
【００２４】
図３、図４及び図５に示すように、第二レール１４が第一レール１２に対して所定位置Ｐにまで動作したとき、基台４０は第二規制部３６と第一規制部２６との間に突当てられる。つまり、基台４０の二つの部位、例えば第三可撓性部５４及び第四可撓性部５６は力Ｆを受けて押圧されて緩衝作用を有することになる。具体的には、力Ｆの押圧を受けたとき、第三緩衝空間Ｓ３により、第三可撓性部５４及び第一可撓性部４６は第三突出部分５８により互いに当接可能である。例えば、第一可撓性部４６は第一側面４７ａを有しており、第三可撓性部５４の第三突出部分５８は第一可撓性部４６の第一側面４７ａに当接するものであり、このうち第一可撓性部４６もまた力Ｆを受けて第一端部４４ａに向けて移動して、かつ第一緩衝空間Ｓ１により、第一可撓性部４６及び第一端部４４ａは第一突出部分４８により互いに当接可能である。例えば、第一可撓性部４６は第二側面４７ｂを有しており、第一可撓性部４６の第二側面４７ｂは第一端部４４ａの第一突出部分４８に当接可能であることで、緩衝作用を基台４０の第一端部４４ａに提供する。このうち、第三突出部分５８によって、第三可撓性部５４と第一可撓性部４６との間の緩衝過程中における過度な湾曲によりスライドアシスト装置１６が損傷する恐れがあるという問題を回避することができる。同様に、第三突出部分５８によって、第一可撓性部４６と第一端部４４ａとの間の緩衝過程中における過度な湾曲によりスライドアシスト装置１６が損傷する恐れがあるという問題を回避することができる。
【００２５】
また、力Ｆの押圧を受けたとき、第四緩衝空間Ｓ４により、第四可撓性部５６及び第二可撓性部５０は第四突出部分６０により互いに当接可能である。例えば、第二可撓性部５０は第一側面５１ａを有しており、第四可撓性部５６の第四突出部分６０は第二可撓性部５０の第一側面５１ａに当接可能であり、このうち第二可撓性部５０もまた力Ｆを受けて第二端部４４ｂに向けて移動して、かつ第二緩衝空間Ｓ２により、第二可撓性部５０及び第二端部４４ｂは第二突出部分５２により互いに当接可能である。例えば、第二可撓性部５０は第二側面５１ｂを有しており、第二可撓性部５０の第二側面５１ｂは第二端部４４ｂの第二突出部分５２に当接可能であることで、緩衝作用を基台４０の第二端部４４ｂに提供する。このうち、第四突出部分６０によって、第四可撓性部５６と第二可撓性部５０との間の緩衝過程中における過度な湾曲によりスライドアシスト装置１６が損傷する恐れがあるという問題を回避することができる。同様に、第二突出部分５２によって、第二可撓性部５０と第二端部４４ｂとの間の緩衝過程中における過度な湾曲によりスライドアシスト装置１６が損傷する恐れがあるという問題を回避することができる。
【００２６】
本発明は、上述の実施例に限定されるものではなく、発明の趣旨を逸脱しない範囲で種々の形態で実施可能である。
【符号の説明】
【００２７】
１０  スライドレールキット、
１２  第一レール、
１４  第二レール、
１６  スライドアシスト装置、
１８ａ  上壁、
１８ｂ  下壁、
２０  縦方向壁、
２２  第一通路、
２４ａ  前端、
２４ｂ  後端、
２６  第一規制部、
２８ａ  上壁、
２８ｂ  下壁、
３０  縦方向壁、
３２  第二通路、
３４ａ  前端、
３４ｂ  後端、
３６  第二規制部、
３８  第三レール、
４０  基台、
４２  スライドアシスト手段、
４４ａ  第一端部、
４４ｂ  第二端部、
４６  第一可撓性部、
４７ａ  第一側面、
４７ｂ  第二側面、
４８  第一突出部分、
５０  第二可撓性部、
５１ａ  第一側面、
５１ｂ  第二側面、
５２  第二突出部分、
５４  第三可撓性部、
５６  第四可撓性部、
５８  第三突出部分、
６０  第四突出部分、
Ｓ１  第一緩衝空間、  
Ｓ２  第二緩衝空間、
Ｓ３  第三緩衝空間、
Ｓ４  第四緩衝空間、
Ｄ  方向、
Ｆ   力、
Ｐ  所定位置。
【図１】
0006286501.tif 000002
【図２】
0006286501.tif 000003
【図３】
0006286501.tif 000004
【図４】
0006286501.tif 000005
【図５】
0006286501.tif 000006